(57)【特許請求の範囲】
【請求項１】
フロアに固定されたシートレールにシートを摺動自在に取付け、電極を該シートレールと絶縁して該シートレールの長手方向に露出させて設け、該電極をフロアワイヤーハーネスと接続し、可動コネクタを前記シートレールに摺動自在に係合し、前記電極に接触するブラシ接点部を該可動コネクタに設け、前記シートに固定されてシート前後動作、シート上下動作及びシート傾斜動作に応じて移動する補機から支持板を垂設し、鉛直方向に長いスリットを該支持板に形成し、前記可動コネクタにリンク突起を突設し、該リンク突起を前記スリットに摺動且つ回動自在に係合させることで、前記補機と前記可動コネクタとが、シート前後動作時に一体的に移動するとともに、シート上下動作時に鉛直方向に相対移動可能であり、シート傾斜動作時に相対回動可能に一体的に連結され、前記可動コネクタと該補機とをサブワイヤーハーネスで導通接続したことを特徴とするシート用スライドコネクタ。
【発明の詳細な説明】
【０００１】
【産業上の利用分野】
本発明は、可動自在なシートに設けられるシート用スライドコネクタに関するものである。
【０００２】
【従来の技術】
車両に装備されるシートには、モータの駆動によりスライド機構を作動させ、シートを自動で可動させる所謂、パワーシートがある。図１０は実開平４−１１２１２３号公報に開示された従来のパワーシートにおけるレール部の断面図である。フロアには断面Ｕ字状のロアーレール１が固設され、ロアーレール１の上部開口には断面逆Ｕ字状のアッパーレール３が互いの屈曲部１ａ、３ａを係合させて摺動自在に取付けられている。従って、アッパーレール３に固定された図示しないシートは、フロアに対して摺動自在に支持されることとなる。
【０００３】
パワーシートでは、アッパーレール３の長手方向に図示しないスクリューシャフトが回動自在に支持され、スクリューシャフトはロアーレール１に固設された図示しないナット部に螺合される。従って、スクリューシャフトが図示しないモータに駆動されることにより、シートは、レール方向に自動可動されることになる。シートには、例えばシート駆動制御用のスイッチなど補機が取り付けられる。この補機は、フロアからのワイヤーハーネスと接続される。従って、摺動自在となるシートに接続されるワイヤーハーネスは、シートの最大移動時の余長をとって配索されることになる。
【０００４】
ところが、この余長部は、固定が困難であるとともに、可動が繰り返されることにより、補機とのコネクタ接続部、或いはワイヤーハーネス自体が破損する虞れがあった。このような不具合を解消するため、従来では、アッパーレール３に長手方向の係止溝５を形成し、この係止溝５にクランプ７を固定可能に設け、このクランプ７を介してワイヤーハーネス９をアッパーレール３に固定することで、ワイヤーハーネス９の可動部を固定する構造が提案された。この構造によれば、ワイヤーハーネス９の可動部が固定でき、コネクタ接続部、ワイヤーハーネス９の信頼性を向上させることができた。
【０００５】
【発明が解決しようとする課題】
しかしながら、上述のワイヤーハーネス固定構造では、ワイヤーハーネス９の一部の可動部分はアッパーレール３に固定されることで、破損などは防止されるものの、可動部の余長は依然必要であり、その部分におけるワイヤーハーネス９の疲労はなくすことができなかった。また、余長部分を有したワイヤーハーネス９をアッパーレール３に固定するのは、余長部分が配索の邪魔となり、組付け作業性が悪いものとなった。更に、別部品としてのワイヤーハーネス９をクランプ７を使用してアッパーレール３に取り付けなければならないため、部品点数が多くなり、作業工数が増える問題があった。
本発明は上記状況に鑑みてなされたもので、フロアワイヤーハーネスとシートとを接続するための余長を有したワイヤーハーネスが不要となるシート用スライドコネクタを提供し、可動シートに対する電気配線の信頼性向上、組付け作業性の向上、作業工数の低減を図ることを目的とする。
【０００６】
【課題を解決するための手段】
上記目的を達成するための本発明に係るシート用スライドコネクタの構成は、フロアに固定されたシートレールにシートを摺動自在に取付け、電極を該シートレールと絶縁して該シートレールの長手方向に露出させて設け、該電極をフロアワイヤーハーネスと接続し、可動コネクタを前記シートレールに摺動自在に係合し、前記電極に接触するブラシ接点部を該可動コネクタに設け、記シートに固定されてシート前後動作、シート上下動作及びシート傾斜動作に応じて移動する補機から支持板を垂設し、鉛直方向に長いスリットを該支持板に形成し、前記可動コネクタにリンク突起を突設し、該リンク突起を前記スリットに摺動且つ回動自在に係合させることで、前記補機と前記可動コネクタとが、シート前後動作時に一体的に移動するとともに、シート上下動作時に鉛直方向に相対移動可能であり、シート傾斜動作時に相対回動可能に一体的に連結され、前記可動コネクタと該補機とをサブワイヤーハーネスで導通接続したことを特徴とするものである。
【０００７】
【作用】
シートがシートレールに沿って移動されると、あるいは、シートがシートレールに対し上下方向、若しくは座部前方又は後方を上下動して傾斜方向に移動されると、補機と一体的に連結された可動コネクタがシートレール上を同一方向に移動、あるいは、シートレール上を移動せずに停止して、可動コネクタは、シートがどの位置に移動された場合であっても、常に、ブラシ接点部が電極に接触した状態となる。補機は、この可動コネクタとサブワイヤーハーネスで導通接続されることから、余長を有したワイヤーハーネスを用いることなく、シートのどの位置においても、この可動コネクタを介して電極、即ち、フロアワイヤーハーネスと導通状態となる。
【０００８】
【実施例】
以下、本発明に係るシート用スライドコネクタの好適な実施例を図面を参照して詳細に説明する。なお、本実施例では、シートは車両の前後方向のみならず、上下方向あるいは座部前方又は後方を上下動させる傾斜方向の移動も行うものとする。
図１は本発明によるシート用スライドコネクタの組み付け状態を示す分解斜視図、図２は本発明によるシート用スライドコネクタのコントロールユニット部を示す分解斜視図、図３は操作スイッチ取付け面側から見たコントロールユニットの正面図である。
図２に示すように、フロアには断面Ｃ字状のシートレール１１が固定され、シートレール１１には図示しないスライド構造により、シート１３が摺動自在に支持されている。
【０００９】
シート１３の座部側面には補機（以下、「コントロールユニット」という）１５が固定され、図１に示すように、コントロールユニット１５には薄型の操作スイッチ１７が付設される。コントロールユニット１５と操作スイッチ１７とは、コネクタ１９を介して、配線によらず、直接的に電気接続される。コントロールユニット１５が固定された座部側面には化粧パネル２１が取り付けられ、操作スイッチ１７は化粧パネル２１に形成された凹部状の操作窓２３から露出されるようになっている。
【００１０】
コントロールユニット１５の下部には支持板２５が垂設され、支持板２５には下端が開口した逆Ｕ字状のスリット２７が形成されている。また、コントロールユニット１５にはサブワイヤーハーネス２９が接続され、サブワイヤーハーネス２９の先端にはコネクタ３１が設けられている。従って、シート１３に固設されたこれらのコントロールユニット１５、操作スイッチ１７は、シート１３が摺動することによって、シートレール１１、即ち、フロアに対して相対的に移動することとなる。
【００１１】
図４は本発明によるシート用スライドコネクタのブラシ接点付可動コネクタ部を示す斜視図、図５はブラシ接点付可動コネクタが嵌合されたシートレール部の断面図、図６は図５のＡ−Ａ断面図を示す。
シートレール１１は、絶縁材よりなり、内壁面には必要本数の電極３３がシートレール１１の長手方向に露出状態で配設されている。この電極３３は、電極部となる帯状の導電性板材をシートレール１１にインサート成形することにより、又は、フィルム状の電極材をシートレール１１の内壁面に接着することにより形成される。
【００１２】
シートレール１１に形成されたそれぞれの電極３３は、サブワイヤーハーネス３５に接続され、サブワイヤーハーネス３５の端部にはコネクタ３７が設けられる。このコネクタ３７は、図示しないフロアワイヤーハーネスと接続される。シートレール１１の内部空間には、ブラシ接点付可動コネクタ（以下、「可動コネクタ」という）４１が摺動自在に嵌合される。可動コネクタ４１は、例えば、上下端から突出された係合片４１ａ、４１ｂをシートレール１１の上下溝部に挿入することにより、摺動自在に取り付けられている。
【００１３】
シートレール１１の内壁面と対向する可動コネクタ４１の側面には電極３３に対向するブラシ接点部４３が設けられ、ブラシ接点部４３は可動コネクタ４１の摺動に伴って、可動自在に電極３３と導通するようになっている。また、可動コネクタ４１にはコネクタ接続部４５が設けられ、コネクタ接続部４５にはブラシ接点部４３と接続された端子４７が収容されている。このコネクタ接続部４５には前述のコントロールユニット１５から引き出されたサブワイヤーハーネス２９のコネクタ３１が嵌合される。即ち、フロアワイヤーハーネスは、サブワイヤーハーネス３５、電極３３、可動コネクタ４１、サブワイヤーハーネス２９を介して、コントロールユニット１５と導通することとなる。
【００１４】
可動コネクタ４１のシートレール１１と反対側の側面にはリンク突起４９が突設され、図１に示すように、リンク突起４９はコントロールユニット１５から垂設された支持板２５のスリット２７に係合される。即ち、可動コネクタ４１は、シート１３の移動とともに、リンク突起４９を介してシートレール１１上を摺動するようになっている。
【００１５】
このように構成されたシート用スライドコネクタ５１の動作を図７〜図９によって説明する。図７はシート前後動作時の説明図、図８はシート上下動作時の説明図、図９はシート傾斜動作時の説明図である。
パワーシートの操作スイッチ１７が操作され、図７に示すように、シート１３が前後方向（矢印Ｂ方向）に可動されると、シート１３はシートレール１１に沿って前後方向に移動される。この時、可動コネクタ４１は、コントロールユニット１５と一体接続されて同様にシートレール１１上を移動する。
【００１６】
従って、シート１３がどの位置に移動された場合であっても、常に、可動コネクタ４１は、ブラシ接点部４３が電極３３に接触した状態となり、シート１３のどの位置においても、電極３３、即ち、フロアワイヤーハーネスとの導通状態が確保されることとなる。
【００１７】
また、操作スイッチ１７が操作され、図８に示すように、座部が上下方向（矢印Ｃ方向）に移動されると、シート１３が上下方向に移動する一方、可動コネクタ４１は、現状位置に停止した状態となる。この際、座部は、可動コネクタ４１に対して接近離反動するが、リンク突起４９が支持板２５のスリット２７で摺動することにより、コントロールユニット１５と可動コネクタ４１とは連結状態が維持されることになる。
【００１８】
また、同様に、図９に示すように、座部前方又は後方を上下動して傾斜させる場合においても、可動コネクタ４１は移動せず、リンク突起４９を中心にスリット２７を介して支持板２５が回動することにより、コントロールユニット１５と可動コネクタ４１とは連結状態が維持されることになる。
【００１９】
このように、上述の実施例によるシート用スライドコネクタ５１によれば、電極３３をシートレール１１に設け、この電極３３と摺動自在に接触する可動コネクタ４１をシートレール１１に設けたので、従来構造のように、シートレールと別体の可動ワイヤーハーネスをシートレールに固定する必要がなくなり、その分の組立て工数を削除することができる。
また、シート前後の動き分の余長をワイヤーハーネスに設け、この余長部分を屈曲させながら、シート移動時における接続状態を確保する必要がないので、シート１３とフロアワイヤーハーネスとを少ない部品で且つ高い信頼性で電気接続することができる。
なお、このように構成されるシート用スライドコネクタ５１は、フロアワイヤーハーネス３９とコントロールユニット１５との間が少ない通信用電線で接続される多重通信化システムに用いて特に好適なものとなる。
【００２０】
【発明の効果】
以上詳細に説明したように、本発明に係るシート用スライドコネクタによれば、シートレールにフロアワイヤーハーネスと導通する電極を設け、この電極と接触する可動コネクタを摺動自在にシートレールに設け、シートに固定される補機をこの可動コネクタに導通させたので、従来構造のように別体の可動ワイヤーハーネスを用いることなく、シートの任意の位置において、補機を電極、即ち、フロアワイヤーハーネスと導通させることができる。
この結果、可動ワイヤーハーネスを屈曲させずに導通が得られ、信頼性を向上させることができるとともに、余長を有した可動ワイヤーハーネスを取り付ける必要がなくなるので、作業性を向上させることができ、且つ作業工数を低減することができる。
【図面の簡単な説明】
【図１】本発明によるシート用スライドコネクタの組み付け状態を示す分解斜視図である。
【図２】本発明によるシート用スライドコネクタのコントロールユニット部を示す分解斜視図である。
【図３】操作スイッチ取付け面側から見たコントロールユニットの正面図である。
【図４】本発明によるシート用スライドコネクタの可動コネクタ部を示す斜視図である。
【図５】ブラシ接点付可動コネクタが嵌合されたシートレール部の断面図である。
【図６】図５のＡ−Ａ断面図である。
【図７】シート前後動作時の説明図である。
【図８】シート上下動作時の説明図である。
【図９】シート傾斜動作時の説明図である。
【図１０】従来のパワーシートにおけるレール部の断面図である。
【符号の説明】
１１  シートレール
１３  シート
１５  コントロールユニット（補機）
２５  支持板
２７  スリット
２９  サブワイヤーハーネス
３３  電極
４１  可動コネクタ
４３  ブラシ接点部
４９  リンク突起
５１  シート用スライドコネクタ
【図１】
0003575638.tif 000002
【図２】
0003575638.tif 000003
【図３】
0003575638.tif 000004
【図４】
0003575638.tif 000005
【図５】
0003575638.tif 000006
【図６】
0003575638.tif 000007
【図７】
0003575638.tif 000008
【図８】
0003575638.tif 000009
【図９】
0003575638.tif 000010
【図１０】
0003575638.tif 000011